(57)【特許請求の範囲】
【請求項１】
フイルムからなる可撓性の容器本体の注出位置に、剛性の熱可塑性樹脂製スパウトが熱
融着された容器において、スパウトの所定の部分に、電導性熱可塑性樹脂を用いて、他の
熱可塑性樹脂部分と一体に成形したことを特徴とするスパウトの表面の所定の部分の電導可否により内容物判別可能な容器。
【請求項２】
請求項１記載の内容物判別可能な容器のスパウトに接続したときに、複数個の電導性接
点がスパウトの表面の所定の部分に当接するように配設し、これら複数個の電導性接点間
の電導可否によって、容器の内容物を判別することを特徴とする内容物判別可能な自動吸
引式注出装置。
【発明の詳細な説明】
【技術分野】
【０００１】
本発明は、可撓性の容器から吸引式注出装置を用いて内容物を注出するときに、容器の内容物を判別確認することができる内容物判別可能な容器及び自動吸引式注出装置に関するものである。
【背景技術】
【０００２】
従来、自動吸引式注出装置を用いて内容物を注出する業務用の液体用容器又は粉体用容器としては、例えばバッグ・イン・ボックスがある。このバッグ・イン・ボックスは、段ボールからなる外箱と、フィルムからなる容器本体に口栓を付けた可撓性の内容器とからなり、内容物を充填した内容器を外箱に収納するものであった。そして、口栓は、内容器の注出位置に熱融着されたスパウト（注出部材）とキャップとからなり、内容物を容器から注出するときには、外箱から突出する口栓、外箱から突出させた口栓又は外箱から取り出した内容器の口栓のキャップを外し、スパウトの注出口部の注出孔内に自動吸引式注出装置の注出ノズル先端部を挿入して、スパウトの位置決めツバに、注出ノズルの位置決め受け部を引っ掛けて位置決め固定し、ポンプにより吸引して内容物を注出するものであった。
【発明の開示】
【発明が解決しようとする課題】
【０００３】
しかしながら、各種の内容物に、同様な形状や寸法の容器が使用されている場合があり、使用するときに、他の内容物が充填されている容器に自動吸引式注出装置を間違えて取り付けて注出してしまった場合には、自動吸引式注出装置のノズルなどの流路を洗浄し直す手間が、非常に大変であった。また、多少容器のスパウトの内径寸法と自動吸引式注出装置の注出ノズル先端部の寸法が異なっていても、スパウトの注出孔の先端部にはテーパー部があり、注出ノズル先端部を注出孔の先端部に強く押し込めば、挿着出来ることがあり、他の内容物を間違えて注出してしまうこともあった。
【０００４】
本発明は、上述の従来の自動吸引式注出装置で容器から内容物を注出するときの問題を解決したものであり、容器から吸引式注出装置を用いて内容物を注出するときに、容器の内容物を判別して確認することができ、注出する内容物を間違えることがない内容物判別可能な容器及び自動吸引式注出装置を提供するものである。
【課題を解決するための手段】
【０００５】
すなわち、本発明の第１の発明は、フイルムからなる可撓性の容器本体の注出位置に、剛性の熱可塑性樹脂製スパウトが熱
融着された容器において、スパウトの所定の部分に、電導性熱可塑性樹脂を用いて、他の
熱可塑性樹脂部分と一体に成形したことを特徴とするスパウトの表面の所定の部分の電導可否により内容物判別可能な容器である。
【０００６】
そして、本発明の第２の発明は、第１の発明に記載の内容物判別可能な容器のスパウトに接続したときに、複数個の電導性接点がスパウトの表面の所定の位置に当接するように配設し、これら複数個の電導性接点間の電導可否によって、容器の内容物を判別することを特徴とする内容物判別可能な自動吸引式注出装置である。
【発明の効果】
【０００７】
内容物を注出するために、本発明の内容物判別可能な容器のスパウトに、本発明に係わる内容物判別可能な自動吸引式注出装置を接続すると、自動吸引式注出装置の分散して配設する複数個の電導性接点が、スパウトの表面に当接する。容器のスパウトの所定の部分
には、内容物を示すために、電導性熱可塑性樹脂が用いられて、他の熱可塑性樹脂部分と一体に成形されている。複数個の電導性接点は、電導性熱可塑性樹脂の部分又は他の熱可塑性樹脂部分に当接する。この結果、電導性熱可塑性樹脂の部分に当接した電導性接点間では、電導が可能であるが、電導性熱可塑性樹脂の部分に当接した電導性接点と他の熱可塑性樹脂部分に当接した電導性接点間では、電導しない。また、他の熱可塑性樹脂部分に当接した電導性接点間では、電導しない。この電導性接点間の電導可否の違いによって、容器の内容物を判別することができ、この結果、注出する内容物を間違えて注出することが防げる。
【発明を実施するための最良の形態】
【０００８】
次に、本発明の内容物判別可能な容器及び自動吸引式注出装置の実施の形態について、図を用いて詳細に説明する。
【０００９】
本発明の内容物判別可能な容器及び自動吸引式注出装置は、自動吸引式注出装置で、例えばバッグ・イン・ボックスの内容器である可撓性容器から、内容物を他の容器へ注出するとき、特に連続して注出するときに、内容物が異なる容器からその内容物を誤って注出することを防ぐものである。
【００１０】
まず、内容物判別可能な容器は、少なくとも半分以上が軟質の単層、多層又は重ね合せのフィルムで作製されている可撓性の容器本体と、この容器本体のスパウト取付孔に突出する口栓からなり、口栓は、容器本体の注出位置に突出させて熱融着されるスパウトと、このスパウトに装着するキャップとからなる。そして、スパウトの所定の部分を、電導性熱可塑性樹脂を用いて他の熱可塑性樹脂の部分と一体に成形するものである。この成形法には、多色射出成形法が用いられるが、電導性熱可塑性樹脂シートを用いたインサート射出成形法でもよい。また、必要に応じては、電導性熱可塑性樹脂部分と他の熱可塑性樹脂部分とを同一色にすることで外観性を向上することが出来る。
【００１１】
次に、内容物判別可能な自動吸引式注出装置（６０）は、例えば図６に示すように、内容物判別可能な容器のスパウト（１０）に接続したときに、スパウトの表面の所定の部分に当接するように複数個の電導性接点（６１）を配設するものである。従って、内容物判別可能な容器のスパウトに接続したときに、これらの複数個の電導性接点は、電導性熱可塑性樹脂部分又は他の熱可塑性樹脂部分に当接する。そして、電導性接点間の電導可否を電流計（６２）又は抵抗測定器によって測定し、その電導可否の違いによって、容器の内容物を判別するものである。
【実施例】
【００１２】
以下に、本発明の具体的実施例について説明する。
【００１３】
＜実施例１＞
まず、二つの射出装置をもつ二色射出成形機で、図２（ａ）に示すコア（３１）と第１キャビティプレート（３２）と第２キャビティプレート（３３）とスライドコア（３４）とからなる射出成形用金型（３０）を用いて、第１成形段階として、ポリエチレン系の電導性熱可塑性樹脂用いて、第１射出装置（４１）により電導性熱可塑性樹脂の位置決め鍔部（１５ａ）と周壁（１４ａ）とを射出成形し、次に、第２成形段階として、金型を第２射出装置側へ移動し、図２（ｂ）に示すように、スライドコア（３４）を下方へ移動して、低密度ポリエチレンを用いて、第２射出装置（４２）により電導性熱可塑性樹脂の周壁（１４ａ）の下方に接続させて環状台座部（１６）と容器熱融着環状部（１７）を、また、電導性熱可塑性樹脂の周壁の上端部内側に注出口部（１１）を接続させて一体に射出成形した。この作製されたスパウト（１０）は、図１（ａ）及び（ｂ）に示すように、下端外周に容器熱融着環状部（１７）を周設する低密度ポリエチレンの環状台座部（１６）の
上方に電導性熱可塑性樹脂の周壁（１４ａ）を立設し、この周壁の上端外周に電導性熱可塑性樹脂の位置決め鍔部（１５ａ）を周設し、周壁の上端内周部に低密度ポリエチレンの注出口部（１１）を連設するものである。注出口部は、内側に注出孔（１２）を設け、上方外周にキャップとの雄ねじ（１３）を設け、下端の注出孔の周りに対向させて複数の注出孔閉鎖防止リブ（１８）を設けたものである。このスパウト（１０）を、図１（ｂ）に示すように、フィルムからなる可撓性の容器本体（２０）のスパウト取付孔（２１）に突出させ、容器本体の裏面とスパウトの容器熱融着環状部（１７）の表面とを熱融着して取り付けて、実施例１の内容物判別可能な容器を作製した。一方、自動吸引式注出装置には、容器のスパウトに接続したときに、スパウトの位置決め鍔部の表面の図１（ａ）及び（ｂ）に示す４カ所の電導性接点当接位置（Ｐ1 ，Ｐ2 ，Ｐ3 ，Ｐ4 ）に当接するように４個の電導性接点を配設し、これら電導性接間の電導可否を電流計で測定出来るようにした。そして、内容物を充填した容器のスパウトに、自動吸引式注出装置を接続したところ、Ｐ1 の電導性接点当接位置に当接した電導性接点と、Ｐ2 の電導性接点当接位置に当接した電導性接点と、Ｐ3 の電導性接点当接位置に当接した電導性接点と、Ｐ4 の電導性接点当接位置に当接した電導性接点との４個の電導性接点間の全てで、電導が確認された。
【００１４】
＜実施例２＞
図３（ａ）及び（ｂ）に示すように、スパウトの位置決め鍔部と周壁の４分の３の部分を電導性熱可塑性樹脂で成形し、残りの４分の１の部分を低密度ポリエチレンで成形し、位置決め鍔部の電導性熱可塑性樹脂の部分（１５ａ）の表面に、３箇所の電導性接点当接位置（Ｐ1 ，Ｐ2 ，Ｐ3 ）が来るようにし、他の１箇所の電導性接点当接位置が、低密度ポリエチレンの部分（１５ｂ）に来るようにした以外は、実施例１と同様にして、スパウトを作製した。このスパウトを、実施例１と同様に、フィルムからなる可撓性の容器本体のスパウト取付孔に突出させ、容器本体の裏面とスパウトの容器熱融着環状部の表面とを熱融着して取り付けて、実施例２の内容物判別可能な容器を作製した。そして、内容物を充填した容器のスパウトに、実施例１で使用した自動吸引式注出装置を接続したところ、Ｐ1 の電導性接点当接位置に当接した電導性接点と、Ｐ2 の電導性接点当接位置に当接した電導性接点と、Ｐ3 の電導性接点当接位置に当接した電導性接点との３個の電導性接点間では、電導が確認されたが、これら３個の電導性接点とＰ4 の電導性接点当接位置に当接した電導性接点間では、電導が確認されなかった。
【００１５】
＜実施例３＞
図４（ａ）及び（ｂ）に示すように、スパウトの位置決め鍔部と周壁を４分割し、電導性接点当接位置（Ｐ1 ）が来る電導性熱可塑性樹脂の部分（１５ａ）、電導性接点当接位置（Ｐ2 ）が来る低密度ポリエチレンの部分（１５ｂ）、電導性接点当接位置（Ｐ3 ）が来る電導性熱可塑性樹脂の部分（１５ａ）、電導性接点当接位置（Ｐ4 ）が来る低密度ポリエチレンの部分（１５ｂ）を形成した以外は、実施例１と同様にして、スパウトを作製した。このスパウトを、実施例１と同様に、フィルムからなる可撓性の容器本体のスパウト取付孔に突出させ、容器本体の裏面とスパウトの容器熱融着環状部の表面とを熱融着して取り付けて、実施例３の内容物判別可能な容器を作製した。そして、内容物を充填した容器のスパウトに、実施例１で使用した自動吸引式注出装置を接続したところ、Ｐ1 の電導性接点当接位置に当接した電導性接点と、Ｐ3 の電導性接点当接位置に当接した電導性接点との２個の電導性接点間では、電導が確認されたが、これ以外の電導性接点間では、電導が確認されなかった。
【００１６】
＜実施例４＞
図５（ａ）及び（ｂ）に示すように、インサート射出成形用金型の所定位置に、電導性熱可塑性樹脂シート（５１）を挿着して、低密度ポリエチレンを射出し、大型スパウト（５０）を作製し、この大型スパウトを、容器本体（２０）の開口部に熱融着して取り付けて、実施例４の内容物判別可能な容器を作製した。そして、内容物を充填した容器のスパ
ウトに、自動吸引式注出装置を接続したところ、電導性熱可塑性樹脂シート上のＰ5 、Ｐ7 、Ｐ9 、Ｐ10の電導性接点当接位置に当接した電導性接点間では、電導が確認されたが、他の熱可塑性樹脂部分のＰ6 又はＰ8 の電導性接点当接位置に当接した電導性接点と電導性熱可塑性樹脂シート上のＰ5 、Ｐ7 、Ｐ9 、Ｐ10の電導性接点当接位置に当接した電導性接点間では、電導が確認されなかった。また，当然のことながら、Ｐ6 の電導性接点当接位置に当接した電導性接点とＰ8 の電導性接点当接位置に当接した電導性接点間では、電導が確認されなかった。
【図面の簡単な説明】
【００１７】
【図１】（ａ）は、実施例１の内容物判別可能な容器のスパウトの平面図であり、（ｂ）は、そのＡ−Ａ’線断面図である。
【図２】実施例１のスパウトを二色成形機で成形するときの成形方法を示す説明図であり、（ａ）は、まず、電導性熱可塑性樹脂により位置決めツバと周壁を成形する第１段階目の説明図であり、（ｂ）は、次に、低密度ポリエチレンでその他の部分を、位置決めツバと周壁とに一体に成形して、スパウトを成形する第２段階目の説明図である。
【図３】（ａ）は、実施例２の内容物判別可能な容器のスパウトの平面図であり、（ｂ）は、そのＢ−Ｂ’線断面図である。
【図４】（ａ）は、実施例３の内容物判別可能な容器のスパウトの平面図であり、（ｂ）は、そのＣ−Ｃ’線断面図である。
【図５】（ａ）は、実施例４の内容物判別可能な容器のスパウトの平面図であり、（ｂ）は、そのＤ−Ｄ’線断面図である。
【図６】本発明の内容物判別可能な容器に使用する吸引判別装置の一例である。
【符号の説明】
【００１８】
１０……スパウト
１１……注出口部
１２……注出孔
１３……雄ねじ
１４ａ……電導性熱可塑性樹脂の周壁
１５ａ……電導性熱可塑性樹脂の位置決め鍔部又は部分
１５ｂ……低密度ポリエチレンの部分
１６……環状台座部
１７……容器熱融着環状部
１８……注出孔閉鎖防止リブ
２０……容器本体
２１……スパウト取付孔
３０……射出成形用金型
３１……コア
３２……第１キャビティ
３３……第２キャビティ
３４……スライドコア
４１……第１射出装置
４２……第２射出装置
５０……大型スパウト
５１……電導性熱可塑性樹脂シート
Ｐ1 ，Ｐ2 ，Ｐ3 ，Ｐ4 ，Ｐ5 ，Ｐ6 ，Ｐ7 ，Ｐ8 ，Ｐ9 ，Ｐ10……電導性接点当接位置６０……自動吸引式注出装置
６１……電導性接点  
６２……電流計
【図１】
0004696939.tif 000002
【図２】
0004696939.tif 000003
【図３】
0004696939.tif 000004
【図４】
0004696939.tif 000005
【図５】
0004696939.tif 000006
【図６】
0004696939.tif 000007